【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】  (a)部分的に重合されたエチレン性不飽和化合物の混合物がそれぞれ式(Ｉ)：
【化１】
2001527138.tif 000001
式(Ｉ)
または式(II)：
【化２】
2001527138.tif 000002
式(II)
（式中、ｎは正の整数であり、ｍは正の整数である）
によって表されるジエチレングリコール（アリルカーボネート）化合物の混合物を含有し、該ｎの値が１であるジエチレングリコール（アリルカーボネート）化合物が該ジエチレングリコール（アリルカーボネート）化合物の混合物の25〜75面積％を構成し、
(b)重合性で液状の実質的にゲルを含有しない組成物のエチレン性二重結合の利用率が少なくとも３％である
エチレン性不飽和化合物の部分的に重合された混合物を含有する重合性で液状の実質的にゲルを含有しない組成物であって、
該組成物が２２〜２６℃の周囲温度において、実質的に保存安定性を有する組成物。
【請求項２】  前記ｎの値が１である式(Ｉ)によって表されるジエチレングリコール（アリルカーボネート）化合物が前記ジエチレングリコール（アリルカーボネート）化合物の混合物の45〜75面積％を構成する請求項１記載の重合性で液状の実質的にゲルを含有しない組成物。
【請求項３】  前記ｎの値が１である式(Ｉ)によって表されるジエチレングリコール（アリルカーボネート）化合物が前記ジエチレングリコール（アリルカーボネート）化合物の混合物の60〜70面積％を構成する請求項１記載の重合性で液状の実質的にゲルを含有しない組成物。
【請求項４】  前記重合性で液状の実質的にゲルを含有しない組成物のエチレン性二重結合の利用率が３〜16％である請求項１記載の重合性で液状の実質的にゲルを含有しない組成物。
【請求項５】  前記重合性で液状の実質的にゲルを含有しない組成物のエチレン性二重結合の利用率が８〜12％である請求項１記載の重合性で液状の実質的にゲルを含有しない組成物。
【請求項６】  (a)ｎが１、２、３、４、５、６および７である式(Ｉ)によって表される化合物が集合的にジエチレングリコール（アリルカーボネート）化合物の混合物の少なくとも85面積％を構成し、
(b)ｎが７を超える式(Ｉ)によって表される化合物が集合的にジエチレングリコール（アリルカーボネート）化合物の混合物の０〜５面積％を構成し、
(c)ｍが１、２および３である式(II)によって表される化合物が集合的にジエチレングリコール（アリルカーボネート）化合物の混合物の0.01〜７面積％を構成し、
(d)ｍが３を超える式(II)によって表される化合物が集合的にジエチレングリコール（アリルカーボネート）化合物の混合物の０〜３面積％を構成する
請求項１記載の重合性で液状の実質的にゲルを含有しない組成物。
【請求項７】  前記部分的に重合されたエチレン性不飽和化合物の混合物が少なくとも１つの任意のエチレン性不飽和化合物も含有する請求項１記載の重合性で液状の実質的にゲルを含有しない組成物。
【請求項８】  前記任意のエチレン性不飽和化合物が式：
【化３】
2001527138.tif 000003
（式中、Ａは式：ＨＯ‐Ａ‐ＯＨによって表されるジオールから誘導される‐ＣＨ2ＣＨ2ＯＣＨ2ＣＨ2‐以外の２価の基であり、ｋは正の整数である）
によって表されるジオールビス（アリルカーボネート）化合物である請求項７記載の重合性で液状の実質的にゲルを含有しない組成物。
【請求項９】  前記任意のエチレン性不飽和化合物が３つ以上の（アリルカーボネート）基を含有するポリオールポリ（アリルカーボネート）化合物である請求項７記載の重合性で液状の実質的にゲルを含有しない組成物。
【請求項１０】  前記任意のエチレン性不飽和化合物が、1,1,1‐トリメチロールプロパンのトリス（アリルカーボネート）、1,1,1‐トリメチロールエタンのトリス（アリルカーボネート）、またはトリス（2‐ヒドロキシエチル）イソシアヌレートのトリス（アリルカーボネート）である請求項７記載の重合性で液状の実質的にゲルを含有しない組成物。
【請求項１１】  前記任意のエチレン性不飽和化合物が、（アリルカーボネート）基は含有しないが複数のアリル基を含有する化合物である請求項７記載の重合性で液状の実質的にゲルを含有しない組成物。
【請求項１２】  前記任意のエチレン性不飽和化合物が、2,4,6‐トリス(アリルオキシ)‐1,3,5‐トリアジン、1,3,5‐トリアリル‐1,3,5‐トリアジン‐2,4,6(1Ｈ,3Ｈ,5Ｈ)‐トリオン、ジアリルフタレート、トリアリルトリメリテート、またはトリアリルトリメセートである請求項７記載の重合性で液状の実質的にゲルを含有しない組成物。
【請求項１３】  前記任意のエチレン性不飽和化合物が、ジオールのビス(アクリレート)、ジオールのビス(メタクリレート)、トリオールのトリス(アクリレート)、トリオールのトリス(メタクリレート)、テトラオールのテトラキス(アクリレート)またはテトラオールのテトラキス(メタクリレート)である請求項７記載の重合性で液状の実質的にゲルを含有しない組成物。
【請求項１４】  前記任意のエチレン性不飽和化合物が、前記部分的に重合されたエチレン性不飽和化合物の混合物の0.1〜40重量％を構成する請求項７記載の重合性で液状の実質的にゲルを含有しない組成物。
【請求項１５】  それぞれ式(Ｉ)または式(II)によって表される前記ジエチレングリコール（アリルカーボネート）化合物の混合物が、前記部分的に重合されたエチレン性不飽和化合物の混合物の少なくとも60重量％を構成する請求項１記載の重合性で液状の実質的にゲルを含有しない組成物。
【請求項１６】  それぞれ式(Ｉ)または式(II)によって表される前記ジエチレングリコール（アリルカーボネート）化合物の混合物が、前記部分的に重合されたエチレン性不飽和化合物の混合物の少なくとも90重量％を構成する請求項１記載の重合性で液状の実質的にゲルを含有しない組成物。
【請求項１７】  前記エチレン性不飽和化合物の部分的に重合された混合物と混合された任意のモノマーを更に含有する請求項１記載の重合性で液状の実質的にゲルを含有しない組成物。
【請求項１８】  前記任意のモノマーが式(Ｉ)：
【化４】
2001527138.tif 000004
または式(II)：
【化５】
2001527138.tif 000005
（式中、ｎは１、２、３、４、５、６または７であり、ｍは１、２または３である）
によって表される少なくとも１つの化合物を含有する請求項17記載の重合性で液状の実質的にゲルを含有しない組成物。
【請求項１９】  前記任意のモノマーが式：
【化６】
2001527138.tif 000006
（式中、Ａは式：ＨＯ‐Ａ‐ＯＨによって表されるジオールから誘導される‐ＣＨ2ＣＨ2ＯＣＨ2ＣＨ2‐以外の２価の基であり、ｋは正の整数である）
によって表される少なくとも１つの化合物を含有する請求項17記載の重合性で液状の実質的にゲルを含有しない組成物。
【請求項２０】  前記任意のモノマーが、1,1,1‐トリメチロールプロパンのトリス（アリルカーボネート）、1,1,1‐トリメチロールエタンのトリス（アリルカーボネート）、トリス（2‐ヒドロキシエチル）イソシアヌレートのトリス（アリルカーボネート）、2,4,6‐トリス(アリルオキシ)‐1,3,5‐トリアジン、1,3,5‐トリアリル‐1,3,5‐トリアジン‐2,4,6(1Ｈ,3Ｈ,5Ｈ)‐トリオン、ジアリルフタレート、トリアリルトリメリテート、およびトリアリルトリメセートから成る群から選択される少なくとも１つの構成要素を含む請求項17記載の重合性で液状の実質的にゲルを含有しない組成物。
【請求項２１】  前記任意のモノマーが、ジオールのビス(アクリレート)、ジオールのビス(メタクリレート)、トリオールのトリス(アクリレート)、トリオールのトリス(メタクリレート)、テトラオールのテトラキス(アクリレート)、およびテトラオールのテトラキス(メタクリレート)から成る群から選択される少なくとも１つの構成要素を含む請求項17記載の重合性で液状の実質的にゲルを含有しない組成物。
【請求項２２】  前記エチレン性不飽和化合物の部分的に重合された混合物と混合された任意のモノマーが、前記重合性で液状の実質的にゲルを含有しない組成物の0.1〜80重量％を構成する請求項17記載の重合性で液状の実質的にゲルを含有しない組成物。
【手続補正２】
【補正対象書類名】明細書
【補正対象項目名】０００９
【補正方法】変更
【補正の内容】
【０００９】
従って、本発明は、(a)部分的に重合されたエチレン性不飽和化合物の混合物がそれぞれ式(Ｉ)：
【化９】
2001527138.tif 000007
式(Ｉ)
または式(II)：
【化１０】
2001527138.tif 000008
式(II)
（式中、ｎは正の整数であり、ｍは正の整数である）
によって表されるジエチレングリコール（アリルカーボネート）化合物の混合物を含有し、該ｎの値が１であるジエチレングリコール（アリルカーボネート）化合物が該ジエチレングリコール（アリルカーボネート）化合物の混合物の25〜75面積％を構成し、
(b)重合性で液状の実質的にゲルを含有しない組成物のエチレン性二重結合の利用率(utilization)が少なくとも３％である
エチレン性不飽和化合物の部分的に重合された混合物を含有する重合性で液状の実質的にゲルを含有しない組成物であって、
該組成物が２２〜２６℃の周囲温度において、実質的に保存安定性を有する組成物である。